(57)【特許請求の範囲】
【請求項１】
水受け槽内に回転自在に配設した洗濯兼脱水槽と、前記洗濯兼脱水槽の底部に回転自在に配設した撹拌翼と、前記水受け槽の上方を覆う水受け槽カバーと、前記水受け槽を防振支持する外郭と、前記外郭の上部に前記水受け槽を覆うように設けた外郭カバーと、前記水受け槽カバーに設けた衣類投入のための開口を開閉自在に覆う水受け槽蓋とを備え、前記水受け槽カバーには、上方から前記洗濯兼脱水槽の外面と前記水受け槽の内面との間に直接的に連通する粉末洗剤投入口を設け、前記粉末洗剤投入口は、洗剤投入口蓋によって前記水受け槽カバーの開口の方向に開くように開閉自在に覆われ、前記洗剤投入口蓋は、ばね力により前記粉末洗剤投入口を閉塞する方向に付勢されるとともに、開いた状態ではストッパーによりその開いた状態が保持され、前記洗剤投入口蓋が開いた状態で、前記粉末洗剤投入口に粉末洗剤が投入されることで、前記粉末洗剤は、前記洗濯兼脱水槽の外面と前記水受け槽の内面との間に直接投入されるようにし、その後、前記水受け槽蓋が閉められる動作が行われると、その途中で前記水受け槽蓋の先端が開いた状態の前記洗剤投入口蓋の先端に当接することで、前記洗剤投入口蓋は、ストッパーが外れ、前記ばね力により前記粉末洗剤投入口を閉塞するようにした洗濯機。
【請求項２】
洗剤投入口蓋が開いた状態で、粉末洗剤投入口に粉末洗剤が投入される際、前記洗剤投入口蓋の片面上に投入された粉末洗剤は、前記洗剤投入口蓋の傾斜に沿って前記粉末洗剤投入口に流入するようにした請求項１に記載の洗濯機。
【請求項３】
洗濯行程、すすぎ行程で、洗濯兼脱水槽を回転させて、水受け槽内の水をポンプアップし、前記洗濯兼脱水槽の上面と前記水受け槽カバーとの間から前記洗濯兼脱水槽内に吐出させて水を循環させる洗濯機であって、粉末洗剤投入口には、投入された粉末洗剤を洗濯兼脱水槽の外面と水受け槽の内面の間に導く傾斜面を設けるとともに、前記洗濯兼脱水槽の回転によりポンプアップされた前記水受け槽内の水を分流して前記傾斜面上に導く散水経路を設けて前記粉末洗剤投入口および傾斜面を洗浄するようにした請求項１または２に記載の洗濯機。
【請求項４】
粉末洗剤投入口の外周部で水受け槽カバーの開口の逆の部分には、上方へ凸のリブ状に形成され可撓性を有する材料によりなる飛散防止カバーを設けた請求項１〜３のいずれか１項に記載の洗濯機。
【請求項５】
粉末洗剤投入口には、格子状に形成された異物侵入防止リブを設けた請求項１〜４のいずれか１項に記載の洗濯機。
【請求項６】
粉末洗剤投入口は、粉末洗剤の投入部分が水受け槽カバーに対し着脱自在に配設した請求項１〜５のいずれか１項に記載の洗濯機。
【発明の詳細な説明】
【０００１】
【発明の属する技術分野】
本発明は、洗濯兼脱水槽に粉末洗剤を投入する粉末洗剤投入口を有する洗濯機に関するものである。
【０００２】
【従来の技術】
従来、洗濯機は、図１７に示すように構成していた。以下、その構成について説明する。
【０００３】
図１７に示すように、洗濯兼脱水槽１は、底面に撹拌翼２を回転自在に配置し、この洗濯兼脱水槽１の外側に水受け槽３を設けている。水受け槽３の底面には洗濯兼脱水槽１と撹拌翼２を駆動するモータ４を取りつけ、駆動部の切り替えを行うクラッチ装置５を介して洗濯兼脱水槽１と撹拌翼２を駆動するように構成している。また、水受け槽３は、外郭６にサスペンション７を介して防振支持している。洗濯兼脱水槽１の上部には、液体を内封した流体バランサー８を固定し、水受け槽３の上面は、水受け槽カバー９によって覆われている。
【０００４】
水受け槽３を収納している外郭６の上部は、制御装置１０、給水弁１１、給水経路１２等を収納した外郭カバー１３によって覆われている。外郭カバー１３の略中央には、衣類の出し入れを行う穴部を有し、この穴部には、外郭蓋１４を開閉自在に配設している。
【０００５】
上記構成において、洗濯行程では、洗濯兼脱水槽１内に投入された洗濯物（衣類等）の量に適した水量を給水弁１１から給水経路１２を通して水受け槽３に供給する。また衣類投入時、または給水時とほぼ同時に洗剤を投入し、その後、撹拌翼２による撹拌を行い、衣類の汚れを除去する行程へと進む。
【０００６】
このとき、洗濯に際して、洗濯物（衣類等）の量、または給水された水の量に応じて、投入する粉末洗剤を直接洗濯兼脱水槽に投入された洗濯物の上に振りかけるか、または給水経路に設けた保持部に一時的に入れ、給水と同時に洗濯兼脱水槽に投入された洗濯物の上に供給して洗濯を行っていた。
【０００７】
【発明が解決しようとする課題】
このような従来の構成では、洗濯兼脱水槽１に投入する洗剤には、粉末洗剤や液体洗剤があり、粉末洗剤においては、昨今濃縮タイプが主流となり、水に対しての溶解性が悪くなってきているため、洗剤を直接衣類の上に投入した場合などでは、衣類に中に洗剤が包み込まれたり、強固に貼り付いたりして溶け残り、洗浄性能が出ないばかりでなく、洗濯終了後に洗剤が残っていてもう一度洗濯をやり直す必要が発生する場合があった。
【０００８】
これは、直接洗濯物の上に洗剤を投入することに起因している。直接、洗濯物の上に洗剤を投入しない方法としては、洗濯兼脱水槽の一部に穴を開け、粉末洗剤をそこから洗濯兼脱水槽と水受け槽の間に落とす方法もあるが、穴の位置が洗濯物に隠れてしまったり、低い位置のため手を伸ばして投入する必要があり、操作性に不具合があった。
【０００９】
本発明は上記従来の課題を解決するもので、洗濯兼脱水槽と水受け槽の間に粉末洗剤を投入できるようにし、洗剤が衣類に中に包み込まれたり、強固に貼り付いたりして溶け残り、洗浄性能が出ないだけでなく、洗濯終了後に洗剤が残っていてもう一度洗濯をやり直すという不具合をなくし、使い勝手を向上することを目的としている。
【００１０】
【課題を解決するための手段】
本発明は上記目的を達成するために、水受け槽内に回転自在に配設した洗濯兼脱水槽と、前記洗濯兼脱水槽の底部に回転自在に配設した撹拌翼と、前記水受け槽の上方を覆う水受け槽カバーと、前記水受け槽を防振支持する外郭と、前記外郭の上部に前記水受け槽を覆うように設けた外郭カバーと、前記水受け槽カバーに設けた衣類投入のための開口を開閉自在に覆う水受け槽蓋とを備え、前記水受け槽カバーには、上方から前記洗濯兼脱水槽の外面と前記水受け槽の内面との間に直接的に連通する粉末洗剤投入口を設け、前記粉末洗剤投入口は、洗剤投入口蓋によって前記水受け槽カバーの開口の方向に開くように開閉自在に覆われ、前記洗剤投入口蓋は、ばね力により前記粉末洗剤投入口を閉塞する方向に付勢されるとともに、開いた状態ではストッパーによりその開いた状態が保持され、前記洗剤投入口蓋が開いた状態で、前記粉末洗剤投入口に粉末洗剤が投入されることで、前記粉末洗剤は、前記洗濯兼脱水槽の外面と前記水受け槽の内面との間に直接投入されるようにし、その後、前記水受け槽蓋が閉められる動作が行われると、その途中で前記水受け槽蓋の先端が開いた状態の前記洗剤投入口蓋の先端に当接することで、前記洗剤投入口蓋は、ストッパーが外れ、前記ばね力により前記粉末洗剤投入口を閉塞するようにしたものである。
【００１１】
これにより、粉末洗剤投入口より洗濯兼脱水槽と水受け槽の間に粉末洗剤を投入することができ、洗剤が衣類に中に包み込まれたり、強固に貼り付いたりして溶け残るのをなくすることができて、洗浄性能が出ないだけでなく、洗濯終了後に洗剤が残っていてもう一度洗濯をやり直すという不具合をなくすることができ、使い勝手を向上することができる。さらに、洗剤投入口蓋の閉め忘れを防止することができ、洗剤投入口蓋の閉め忘れ（遮蔽不十分）によって、水しぶきが粉末洗剤投入口から飛散するのを防止することができるとともに、ストッパーにより洗剤投入口蓋を開いた状態に保持することができ、粉末洗剤投入時に、ばね力が働いているために洗剤投入口蓋を手で押さえて投入する必要をなくすることができ、使い勝手を向上することができ、さらに、水受け槽蓋を閉めれば、それに連動して洗剤投入口蓋が閉まることにより、水受け槽蓋を閉じた場合に、洗剤投入口蓋を水受け槽蓋がはさみ込んで、水受け槽蓋が閉まらず、洗濯物の飛び出しや洗濯時の水しぶきが洗濯機本体外に飛散するのを防止することができる。
【００１２】
【発明の実施の形態】
本発明の請求項１に記載の発明は、水受け槽内に回転自在に配設した洗濯兼脱水槽と、前記洗濯兼脱水槽の底部に回転自在に配設した撹拌翼と、前記水受け槽の上方を覆う水受け槽カバーと、前記水受け槽を防振支持する外郭と、前記外郭の上部に前記水受け槽を覆うように設けた外郭カバーと、前記水受け槽カバーに設けた衣類投入のための開口を開閉自在に覆う水受け槽蓋とを備え、前記水受け槽カバーには、上方から前記洗濯兼脱水槽の外面と前記水受け槽の内面との間に直接的に連通する粉末洗剤投入口を設け、前記粉末洗剤投入口は、洗剤投入口蓋によって前記水受け槽カバーの開口の方向に開くように開閉自在に覆われ、前記洗剤投入口蓋は、ばね力により前記粉末洗剤投入口を閉塞する方向に付勢されるとともに、開いた状態ではストッパーによりその開いた状態が保持され、前記洗剤投入口蓋が開いた状態で、前記粉末洗剤投入口に粉末洗剤が投入されることで、前記粉末洗剤は、前記洗濯兼脱水槽の外面と前記水受け槽の内面との間に直接投入されるようにし、その後、前記水受け槽蓋が閉められる動作が行われると、その途中で前記水受け槽蓋の先端が開いた状態の前記洗剤投入口蓋の先端に当接することで、前記洗剤投入口蓋は、ストッパーが外れ、前記ばね力により前記粉末洗剤投入口を閉塞するようにしたものである。
【００１３】
したがって、粉末洗剤投入口より洗濯兼脱水槽と水受け槽の間に粉末洗剤を投入することができ、洗剤が衣類に中に包み込まれたり、強固に貼り付いたりして溶け残るのをなくすることができて、洗浄性能が出ないだけでなく、洗濯終了後に洗剤が残っていてもう一度洗濯をやり直すという不具合をなくすることができ、使い勝手を向上することができ、しかも、洗剤投入口蓋によって、洗濯行程、すすぎ行程、脱水行程などで、粉末洗剤投入口から水しぶきが飛び出すのを防止することができ、水しぶきにより洗濯機本体を設置した床面を濡らしたり、洗濯機本体の電気系部品に水しぶきかかったりしないようにすることができる。
【００１４】
また、洗剤投入口蓋の閉め忘れを防止することができ、洗剤投入口蓋の閉め忘れ（遮蔽不十分）によって、水しぶきが粉末洗剤投入口から飛散するのを防止することができるとともに、ストッパーにより洗剤投入口蓋を開いた状態に保持することができ、粉末洗剤投入時に、ばね力が働いているために洗剤投入口蓋を手で押さえて投入する必要をなくすることができ、使い勝手を向上することができ、さらに、水受け槽蓋を閉めれば、それに連動して洗剤投入口蓋が閉まることにより、水受け槽蓋を閉じた場合に、洗剤投入口蓋を水受け槽蓋がはさみ込んで、水受け槽蓋が閉まらず、洗濯物の飛び出しや洗濯時の水しぶきが洗濯機本体外に飛散するのを防止することができる。
【００１５】
請求項２に記載の発明は、洗剤投入口蓋が開いた状態で、粉末洗剤投入口に粉末洗剤が投入される際、前記洗剤投入口蓋の片面上に投入された粉末洗剤は、前記洗剤投入口蓋の傾斜に沿って前記粉末洗剤投入口に流入するようにしたものであり、粉末洗剤投入口より投入した粉末洗剤が洗濯兼脱水槽の上部に設けた流体バランサーの上部に乗ってしまったり、投入された洗剤の一部が洗濯兼脱水槽の内側に落下してしまったりしないようにできる。
【００１６】
請求項３に記載の発明は、洗濯行程、すすぎ行程で、洗濯兼脱水槽を回転させて、水受け槽内の水をポンプアップし、前記洗濯兼脱水槽の上面と前記水受け槽カバーとの間から前記洗濯兼脱水槽内に吐出させて水を循環させる洗濯機であって、粉末洗剤投入口には、投入された粉末洗剤を洗濯兼脱水槽の外面と水受け槽の内面の間に導く傾斜面を設けるとともに、前記洗濯兼脱水槽の回転によりポンプアップされた前記水受け槽内の水を分流して前記傾斜面上に導く散水経路を設けて前記粉末洗剤投入口および傾斜面を洗浄するようにしたものであり、給水経路の給水を用いずに粉末洗剤投入口を洗浄して、粉末洗剤投入口に洗剤が残らないようにすることができ、給水を利用して粉末洗剤投入口を洗浄する場合で、給水量が少ない場合に、洗浄するための水圧が不十分で、粉末洗剤投入口に粉末洗剤が残って蓄積されて粉末洗剤投入口を塞いでしまうという不具合をなくすることができる。
【００１７】
請求項４に記載の発明は、粉末洗剤投入口の外周部で水受け槽カバーの開口の逆の部分には、上方へ凸のリブ状に形成され可撓性を有する材料によりなる飛散防止カバーを設けたものであり、粉末洗剤を投入するとき、乱雑に投入した場合でも、粉末洗剤投入時に粉末洗剤投入口より粉末洗剤が飛散して、機外に洗剤がこぼれたり、サスペンションにかかり、防振性能を疎外するという不具合の発生を防止することができるとともに、脱水行程の振動などで、飛散防止カバーが外郭カバーに当たっても、変形や破損、機体の故障を起こさないようにすることができる。
【００１８】
請求項５に記載の発明は、粉末洗剤投入口には、格子状に形成された異物侵入防止リブを設けたものであり、洗濯物を例えばズボンなどのポケットにコイン等が入ったまま洗濯を行ってしまった場合など、コイン等が粉末洗剤投入口から洗濯兼脱水槽と水受け槽の間に落下するのを防止することができ、コイン等により洗濯時に洗濯機本体を傷めたり、故障するのを防止することができる。
【００１９】
請求項６に記載の発明は、粉末洗剤投入口は、粉末洗剤の投入部分が水受け槽カバーに対し着脱自在に配設したものであり、ほこりや水垢などの汚れ成分が付着した場合などにメンテナンスを行うときには、粉末洗剤投入口を取り外して、洗浄したり、磨いたりすることができ、容易に、かつ十分なメンテナンスをすることができる。
【００２０】
【実施例】
以下、本発明の実施例について、図面を参照しながら説明する。なお、従来例と同じ構成のものは同一符号を付して説明を省略する。
【００２１】
（実施例１）
図１および図２に示すように、水受け槽カバー１５は、水受け槽３の上方を覆うもので、この水受け槽カバー１５に、水受け槽カバー１５の上面と下面を連通する形で粉末洗剤投入口１６を設けている。
【００２２】
上記構成において、洗濯兼脱水槽１内に洗濯物を投入し、水受け槽カバー１５に設けた粉末洗剤投入口１６に粉末洗剤を投入すると、投入された粉末洗剤は、洗濯兼脱水槽１と水受け槽３の間に投入することができる。その後、運転を開始すると、制御装置１０によりモータ４、給水弁１１などの動作を制御し、洗濯、すすぎ、脱水の一連の行程を逐次制御し、洗濯物を洗濯した後、すすぎ、脱水する。
【００２３】
これにより、粉末洗剤投入口１６より投入した粉末洗剤が直接衣類に接触することなく投入することができ、粉末洗剤が衣類に中に包み込まれたり、強固に貼り付いたりして溶け残るのをなくすることができて、洗浄性能が出ないという不具合だけでなく、洗濯終了後に洗剤が残っていてもう一度洗濯をやり直すという不具合をなくすることができ、使い勝手を向上することができる。
【００２４】
（実施例２）
図３および図４に示すように、水受け槽カバー１５は、水受け槽３の上方を覆うもので、この水受け槽カバー１５に、水受け槽カバー１５の上面と下面を連通する形で粉末洗剤投入口１６ａを設け、この粉末洗剤投入口１６ａに傾斜面１７を設けている。他の構成は上記実施例１と同じである。
【００２５】
上記構成において、水受け槽カバー１５に設けた粉末洗剤投入口１６ａに粉末洗剤を投入すると、投入された粉末洗剤は、傾斜面１７に沿って落下し、洗濯兼脱水槽１と水受け槽３の間に投入することができる。
【００２６】
これにより、粉末洗剤投入口１６ａより投入した粉末洗剤が流体バランサー８の上部に乗ってしまったり、投入された洗剤の一部が洗濯兼脱水槽１の内側に落下してしまったりすることがなく、直接衣類に接触することなく粉末洗剤を投入することができるため、粉末洗剤が衣類に中に包み込まれたり、強固に貼り付いたりして溶け残るのをなくすることができて、洗浄性能が出ないという不具合だけでなく、洗濯終了後に洗剤が残っていてもう一度洗濯をやり直すという不具合をなくすることができ、使い勝手を向上することができる。
【００２７】
（実施例３）
図５に示すように、水受け槽カバー１５は、水受け槽３の上方を覆うもので、この水受け槽カバー１５に、水受け槽カバー１５の上面と下面を連通する形で粉末洗剤投入口１６ｂを設け、この粉末洗剤投入口１６ｂに傾斜面１７を設け、洗剤投入口蓋１８を開閉自在に設けている。他の構成は上記実施例１または２と同じである。
【００２８】
上記構成において、水受け槽カバー１５に設けた粉末洗剤投入口１６ｂに粉末洗剤を投入すると、投入された粉末洗剤は、傾斜面１７に沿って落下し、洗濯兼脱水槽１と水受け槽３の間に投入することができる。
【００２９】
その後、運転を開始すると、洗剤投入口蓋１８がない場合には、洗濯行程、すすぎ行程、脱水行程などで、水しぶきが粉末洗剤投入口１６ｂから飛び出して、洗濯機本体を設置した床面を濡らしたり、洗濯機本体の電気系部品にかかることがあるが、粉末洗剤投入口１６ｂに、洗剤投入口蓋１８を開閉自在に設けることにより、洗濯行程、すすぎ行程、脱水行程などで、粉末洗剤投入口１６ｂから水しぶきが飛び出すのを防止することができ、水しぶきにより洗濯機本体を設置した床面を濡らしたり、洗濯機本体の電気系部品に水しぶきかかったりしないようにすることができる。
【００３０】
（実施例４）
図６および図７に示すように、水受け槽カバー１５は、水受け槽３の上方を覆うもので、この水受け槽カバー１５に、水受け槽カバー１５の上面と下面を連通する形で粉末洗剤投入口１６ｂを設け、この粉末洗剤投入口１６ｂに傾斜面１７を設けている。粉末洗剤投入口１６ｂに、洗剤投入口蓋１８ａを開閉自在に設け、洗剤投入口蓋１８ａは、粉末洗剤を粉末洗剤投入口１６ｂに流入するようガイドを構成している。他の構成は上記実施例１〜３と同じである。
【００３１】
上記構成において、水受け槽カバー１５に設けた粉末洗剤投入口１６ｂに、粉末洗剤投入口１６ｂおよび洗剤投入口蓋１８ａの片面をねらって、例えばスプーン１９などで粉末洗剤を投入すると、投入された粉末洗剤は、洗剤投入口蓋１８ａがガイドとなって、粉末洗剤投入口１６ｂに投入され、投入された粉末洗剤は、傾斜面１７に沿って落下し、洗濯兼脱水槽１と水受け槽３の間に投入することができる。
【００３２】
このとき、粉末洗剤投入口１６ｂのみの投入面積の側面長さａに比べ、洗剤投入口蓋１８ａを粉末洗剤を投入するときにはガイドとなるように構成した場合、投入面積の側面長さｂは大きくなり、粉末洗剤投入口１６ｂを大きくしなくても、洗剤を投入しやすくすることができる。
【００３３】
（実施例５）
図８に示すように、水受け槽カバー１５は、水受け槽３の上方を覆うもので、この水受け槽カバー１５に、水受け槽カバー１５の上面と下面を連通する形で粉末洗剤投入口１６ｂを設け、この粉末洗剤投入口１６ｂに傾斜面１７を設けている。粉末洗剤投入口１６ｂに、洗剤投入口蓋１８ｂを開閉自在に設け、この洗剤投入口蓋１８ｂは、ばね力により粉末洗剤投入口１６ｂを矢印ｃ方向に閉塞するよう構成している。他の構成は上記実施例１〜４と同じである。
【００３４】
上記構成において、水受け槽カバー１５に設けた粉末洗剤投入口１６ｂに粉末洗剤を投入すると、投入された粉末洗剤は、傾斜面１７に沿って落下し、洗濯兼脱水槽１と水受け槽３の間に投入することができ、粉末洗剤の投入が終わると、洗剤投入口蓋１８ｂは、ばね力により粉末洗剤投入口１６ｂを閉塞する。
【００３５】
これにより、運転を開始したとき、洗剤投入口蓋１８ｂは粉末洗剤投入口１６ｂを閉塞しているので、洗濯行程、すすぎ行程、脱水行程などで、粉末洗剤投入口１６ｂから水しぶきが飛び出すのを防止することができ、水しぶきにより洗濯機本体を設置した床面を濡らしたり、洗濯機本体の電気系部品に水しぶきかかったりしないようにすることができる。
【００３６】
なお、洗剤投入口蓋１８ｂを閉塞するばね力を発生するばね部材は、図示していないが、コイルばね、板ばねなどで構成し、また、ばね性を有するヒンジ部品等の別部品によって構成してもよい。
【００３７】
（実施例６）
図９に示すように、水受け槽カバー１５は、水受け槽３の上方を覆うもので、この水受け槽カバー１５に、水受け槽カバー１５の上面と下面を連通する形で粉末洗剤投入口１６ｂを設け、この粉末洗剤投入口１６ｂに傾斜面１７を設けている。粉末洗剤投入口１６ｂに、洗剤投入口蓋１８ｃを開閉自在に設け、この洗剤投入口蓋１８ｃは、ばね力により粉末洗剤投入口１６ｂを矢印ｃ方向に閉塞するよう構成し、さらに開いた状態でその状態を保持するストッパー２０を設けている。他の構成は上記実施例５と同じである。
【００３８】
上記構成において、洗剤投入口蓋１８ｃを開けると、洗剤投入口蓋１８ｃはストッパー２０により開いた状態を保持する。この状態で、粉末洗剤投入口１６ｂに粉末洗剤を投入すると、投入された粉末洗剤は、傾斜面１７に沿って落下し、洗濯兼脱水槽１と水受け槽３の間に投入することができ、粉末洗剤の投入が終わると、洗剤投入口蓋１８ｃは、ばね力により粉末洗剤投入口１６ｂを閉塞する。
【００３９】
これにより、粉末洗剤投入時に、洗剤投入口蓋１８ｃばね力が働いている場合でも、洗剤投入口蓋１８ｃを手で押さえて、粉末洗剤を投入する必要がなく、使い勝手を向上することができる。
【００４０】
（実施例７）
図１０に示すように、水受け槽カバー１５は、水受け槽３の上方を覆うもので、この水受け槽カバー１５に、水受け槽カバー１５の上面と下面を連通する形で粉末洗剤投入口１６ａを設け、この粉末洗剤投入口１６ａに傾斜面１７を設けている。散水経路２１は、粉末洗剤投入口１６ａの傾斜面１７を洗浄できるように配設し給水弁１１に連結した給水経路１２に連通させている。他の構成は上記実施例１または２と同じである。
【００４１】
上記構成において、水受け槽カバー１５に設けた粉末洗剤投入口１６ａに粉末洗剤を投入すると、投入された粉末洗剤は、傾斜面１７に沿って落下し、洗濯兼脱水槽１と水受け槽３の間に投入することができる。
【００４２】
ここで、例えば、粉末洗剤投入口１６ａが湿気などで湿っていた場合などには、粉末洗剤投入口１６ａに粉末洗剤が残り、長い間に粉末洗剤投入口１６ａを塞いでしまうという不具合が発生する。
【００４３】
このとき、給水経路１２からの給水を散水経路２１を傾斜面１７に導いて粉末洗剤投入口１６ａおよび傾斜面１７を洗浄することにより、粉末洗剤投入口１６ａに粉末洗剤が残らないようにすることができ、長い間に粉末洗剤が蓄積されて粉末洗剤投入口１６ａを塞いでしまうという不具合をなくすることができる。
【００４４】
（実施例８）
図１１に示すように、水受け槽カバー１５は、水受け槽３の上方を覆うもので、この水受け槽カバー１５に、水受け槽カバー１５の上面と下面を連通する形で粉末洗剤投入口１６ａを設け、この粉末洗剤投入口１６ａに傾斜面１７を設けている。散水経路２２は、粉末洗剤投入口１６ａの傾斜面１７を洗浄できるように配設し、洗濯兼脱水槽１の回転により水受け槽３内の水をポンプアップして散水経路２２に導いて粉末洗剤投入口１６ａを洗浄するように構成している。他の構成は上記実施例１または２と同じである。
【００４５】
上記構成において、水受け槽カバー１５に設けた粉末洗剤投入口１６ａに粉末洗剤を投入すると、投入された粉末洗剤は、傾斜面１７に沿って落下し、洗濯兼脱水槽１と水受け槽３の間に投入することができる。
【００４６】
ここで、例えば、粉末洗剤投入口１６ａが湿気などで湿っていた場合などには、粉末洗剤投入口１６ａに粉末洗剤が残り、長い間に粉末洗剤投入口１６ａを塞いでしまうという不具合が発生する。
【００４７】
一方、洗濯行程、すすぎ行程で、洗濯兼脱水槽１を回転させて、水受け槽３内の水をポンプアップし、洗濯兼脱水槽１の上面と水受け槽カバー１５との間から洗濯兼脱水槽１内に吐出させて洗浄水を循環させ、洗濯またはすすぎする際、この循環する洗浄水を散水経路２２に分流させることにより、粉末洗剤投入口１６ａの傾斜面１７を洗浄することができる。
【００４８】
これによって、給水経路の給水を用いずに粉末洗剤投入口１６ａおよび傾斜面１７を洗浄することができ、粉末洗剤投入口１６ａに粉末洗剤が残らないようにできる。
【００４９】
なお、洗濯兼脱水槽１の底部に配設した撹拌翼２の回転によって洗濯水、またはすすぎ水を汲み上げて、粉末洗剤投入口１６ａおよび傾斜面１７を洗浄する構成としてもよい。
【００５０】
（実施例９）
図１２および図１３に示すように、水受け槽カバー１５は、水受け槽３の上方を覆うもので、この水受け槽カバー１５に、水受け槽カバー１５の上面と下面を連通する形で粉末洗剤投入口１６ｂを設け、この粉末洗剤投入口１６ｂに傾斜面１７を設けている。粉末洗剤投入口１６ｂに、洗剤投入口蓋１８を開閉自在に設けている。水受け槽蓋２３は、水受け槽カバー１５に開閉自在に設け、水受け槽蓋２１を閉めれば、それに連動して洗剤投入口蓋１８が閉まる構成としている。他の構成は上記実施例３または４と同じである。
【００５１】
上記構成において、水受け槽カバー１５に設けた粉末洗剤投入口１６ｂに粉末洗剤を投入すると、投入された粉末洗剤は、傾斜面１７に沿って落下し、洗濯兼脱水槽１と水受け槽３の間に投入することができる。
【００５２】
この状態で、水受け槽蓋２３を閉めると、それに連動して洗剤投入口蓋１８が閉まる。このため、水受け槽蓋２３が洗剤投入口蓋１８をはさみ込んで水受け槽蓋２３が閉まらないという状態を防止することができ、結果として、洗濯物の飛び出しや洗濯時の水しぶきが洗濯機本体外に飛散するのを防止することができる。
【００５３】
（実施例１０）
図１４に示すように、水受け槽カバー１５は、水受け槽３の上方を覆うもので、この水受け槽カバー１５に、水受け槽カバー１５の上面と下面を連通する形で粉末洗剤投入口１６ａを設け、この粉末洗剤投入口１６ａに傾斜面１７を設けている。飛散防止カバー２４は、リブ状に形成し、粉末洗剤投入口１６ａの外周部分に設けている。他の構成は上記実施例１または２と同じである。
【００５４】
上記構成において、水受け槽カバー１５に設けた粉末洗剤投入口１６ａに粉末洗剤を投入すると、投入された粉末洗剤は、傾斜面１７に沿って落下し、洗濯兼脱水槽１と水受け槽３の間に投入することができる。
【００５５】
このとき、粉末洗剤を乱雑に投入した場合でも、洗剤投入時に粉末洗剤投入口１６ａより粉末洗剤が飛散して、洗濯機本体外に粉末洗剤がこぼれたり、サスペンション７にかかり、防振性能を疎外するという不具合の発生を防ぐことができる。
【００５６】
（実施例１１）
図１４に示す飛散防止カバー２４は、ゴムやばね材、柔らかいシート、またはフエルトなどの可撓性を有する材料で形成している。他の構成は上記実施例１０と同じである。
【００５７】
上記構成において、水受け槽カバー１５に設けた粉末洗剤投入口１６ａに粉末洗剤を投入すると、投入された粉末洗剤は、傾斜面１７に沿って落下し、洗濯兼脱水槽１と水受け槽３の間に投入することができる。このとき、粉末洗剤を乱雑に投入した場合でも、洗剤投入時に粉末洗剤投入口１６ａより粉末洗剤が飛散して、洗濯機本体外に粉末洗剤がこぼれたり、サスペンション７にかかり、防振性能を疎外するという不具合の発生を防ぐことができる。
【００５８】
また、脱水行程の振動などで、飛散防止カバー２４が外郭カバー１３に当たった場合でも、飛散防止カバー２４は、可撓性を有する材料で形成しているので、変形や破損、場合によっては、洗濯機本体の故障につながるのを防止することができる。
【００５９】
（実施例１２）
図１５に示すように、粉末洗剤投入口１６は、投入部分に略格子状の異物侵入防止リブ２５を設けている。他の構成は上記実施例１〜１１と同じである。
【００６０】
上記構成において、粉末洗剤投入口１６に粉末洗剤を投入すると、投入された粉末洗剤は、洗濯兼脱水槽１と水受け槽３の間に投入することができる。このとき、粉末洗剤投入口１６の投入部分に略格子状の異物侵入防止リブ２５を設けているので、洗濯物で特にズボンなどのポケットにコイン等が入ったまま洗濯を行ってしまった場合など、コイン等が粉末洗剤投入口１６から洗濯兼脱水槽と水受け槽の間に落下するのを防止することができ、コイン等により洗濯機本体を傷めたり、あるいは故障するのを防止することができる。
【００６１】
（実施例１３）
図１６に示すように、粉末洗剤投入口２６は、投入部分を水受け槽カバー１５に着脱自在に配設している。他の構成は上記実施例１〜１２と同じである。
【００６２】
上記構成において、粉末洗剤投入口２６を水受け槽カバー１５に装着し、粉末洗剤投入口２６に粉末洗剤を投入すると、投入された粉末洗剤は、洗濯兼脱水槽１と水受け槽３の間に投入することができる。
【００６３】
一方、粉末洗剤投入口２６に水垢などの汚れ成分が付着した場合などにメンテナンスを行いたいときには、粉末洗剤投入口２６を取り外して、例えば洗浄したり、磨いたりすることができ、容易に、かつ十分なメンテナンスをすることができる。
【００６４】
以上説明した各実施例の技術的意義を総括すれば、以下の通りとなる。
【００６５】
（１）水受け槽内に回転自在に配設した洗濯兼脱水槽と、前記洗濯兼脱水槽の底部に回転自在に配設した撹拌翼と、前記水受け槽の上方を覆う水受け槽カバーと、前記水受け槽を防振支持する外郭と、前記外郭の上部に前記水受け槽を覆うように設けた外郭カバーとを備え、前記水受け槽カバーに、粉末洗剤を投入する粉末洗剤投入口を設けたから、粉末洗剤投入口より洗濯兼脱水槽と水受け槽の間に粉末洗剤を投入することができ、洗剤が衣類に中に包み込まれたり、強固に貼り付いたりして溶け残るのをなくすることができて、洗浄性能が出ないだけでなく、洗濯終了後に洗剤が残っていてもう一度洗濯をやり直すという不具合をなくすることができ、使い勝手を向上することができる。
【００６６】
（２）粉末洗剤投入口に、粉末洗剤を洗濯兼脱水槽と水受け槽の間に投入する傾斜面を設けたから、粉末洗剤投入口より投入した粉末洗剤が洗濯兼脱水槽の上部に設けた流体バランサーの上部に乗ってしまったり、投入された洗剤の一部が洗濯兼脱水槽の内側に落下してしまったりしないようにできる。
【００６７】
（３）粉末洗剤投入口に、洗剤投入口蓋を開閉自在に設けたから、洗濯行程、すすぎ行程、脱水行程などで、粉末洗剤投入口から水しぶきが飛び出すのを防止することができ、水しぶきにより洗濯機本体を設置した床面を濡らしたり、洗濯機本体の電気系部品に水しぶきかかったりしないようにすることができる。
【００６８】
（４）粉末洗剤投入口に、洗剤投入口蓋を開閉自在に設け、前記洗剤投入口蓋は、粉末洗剤を粉末洗剤投入口に流入するようガイドを構成したから、粉末洗剤投入口を大きくしなくても、粉末洗剤を投入ときには、洗剤投入口蓋が洗剤投入のガイドとなって洗剤を容易に投入することができる。
【００６９】
（５）粉末洗剤投入口に、洗剤投入口蓋を開閉自在に設け、前記洗剤投入口蓋は、ばね力により前記粉末洗剤投入口を閉塞するよう構成したから、洗剤投入口蓋の閉め忘れを防止することができ、洗剤投入口蓋の閉め忘れ（遮蔽不十分）によって、水しぶきが粉末洗剤投入口から飛散するのを防止することができる。
【００７０】
（６）洗剤投入口蓋が開いた状態で、その状態を保持するストッパーを設けたから、ストッパーにより洗剤投入口蓋を開いた状態に保持することができ、粉末洗剤投入時に、ばね力が働いているために洗剤投入口蓋を手で押さえて投入する必要をなくすることができ、使い勝手を向上することができる。
【００７１】
（７）粉末洗剤投入口に、粉末洗剤を洗濯兼脱水槽と水受け槽の間に投入する傾斜面を設け、前記傾斜面に散水経路を設け、前記散水経路に給水経路から水を導いて、粉末洗剤投入口を洗浄するようにしたから、粉末洗剤投入口が湿気などで湿っていた場合などに、粉末洗剤投入口に洗剤が残った場合でも、給水経路から給水をこの散水経路に導いて粉末洗剤投入口を洗浄し、粉末洗剤投入口に洗剤が残らないようにすることができ、長い間に粉末洗剤が蓄積されて粉末洗剤投入口を塞いでしまうという不具合をなくすることができる。
【００７２】
（８）粉末洗剤投入口に、粉末洗剤を洗濯兼脱水槽と水受け槽の間に投入する傾斜面を設け、前記傾斜面に散水経路を設け、前記洗濯兼脱水槽または撹拌翼の回転により水受け槽内の水をポンプアップして散水経路に導いて粉末洗剤投入口を洗浄するようにしたから、給水経路の給水を用いずに粉末洗剤投入口を洗浄して、粉末洗剤投入口に洗剤が残らないようにすることができ、給水を利用して粉末洗剤投入口を洗浄する場合で、給水量が少ない場合に、洗浄するための水圧が不十分で、粉末洗剤投入口に粉末洗剤が残って蓄積されて粉末洗剤投入口を塞いでしまうという不具合をなくすることができる。
【００７３】
（９）水受け槽カバーに、洗濯兼脱水槽を閉じる水受け槽蓋を開閉自在に設け、前記水受け槽蓋を閉めると、洗剤投入口蓋が閉まる構成としたから、水受け槽蓋を閉めれば、それに連動して洗剤投入口蓋が閉まることにより、水受け槽蓋を閉じた場合に、洗剤投入口蓋を水受け槽蓋がはさみ込んで、水受け槽蓋が閉まらず、洗濯物の飛び出しや洗濯時の水しぶきが洗濯機本体外に飛散するのを防止することができる。
【００７４】
（１０）粉末洗剤投入口の外周部に、飛散防止カバーを設けたから、粉末洗剤を投入するとき、乱雑に投入した場合でも、粉末洗剤投入時に粉末洗剤投入口より粉末洗剤が飛散して、機外に洗剤がこぼれたり、サスペンションにかかり、防振性能を疎外するという不具合の発生を防止することができる。
【００７５】
（１１）飛散防止カバーを可撓性を有する材料により形成したから、脱水行程の振動などで、飛散防止カバーが外郭カバーに当たっても、変形や破損、機体の故障を起こさないようにすることができる。
【００７６】
（１２）粉末洗剤投入口は、投入部分に異物侵入防止リブを設けたから、洗濯物を例えばズボンなどのポケットにコイン等が入ったまま洗濯を行ってしまった場合など、コイン等が粉末洗剤投入口から洗濯兼脱水槽と水受け槽の間に落下するのを防止することができ、コイン等により洗濯時に洗濯機本体を傷めたり、故障するのを防止することができる。
【００７７】
（１３）粉末洗剤投入口は、投入部分を着脱自在に取り外せるよう構成したから、ほこりや水垢などの汚れ成分が付着した場合などにメンテナンスを行うときには、粉末洗剤投入口を取り外して、洗浄したり、磨いたりすることができ、容易に、かつ十分なメンテナンスをすることができる。
【００７８】
【発明の効果】
以上のように本発明によれば、粉末洗剤投入口より洗濯兼脱水槽と水受け槽の間に粉末洗剤を投入することができ、洗剤が衣類に中に包み込まれたり、強固に貼り付いたりして溶け残るのをなくすることができ、その分、洗浄性能が高まり、洗濯終了後に洗剤が残る不具合もなくなり、使いを向上することができるものである。
【００７９】
しかも、洗剤投入口蓋によって、洗濯行程、すすぎ行程、脱水行程などで、粉末洗剤投入口から水しぶきが飛び出すこともなく、洗濯機本体を設置した床面を濡らしたり、洗濯機本体の電気系部品に水しぶきかかったりしないので、安全でもあるなど、優れた効果を奏するものである。
【００８０】
また、洗剤投入口蓋の閉め忘れを防止することができ、洗剤投入口蓋の閉め忘れ（遮蔽不十分）によって、水しぶきが粉末洗剤投入口から飛散するのを防止することができるとともに、ストッパーにより洗剤投入口蓋を開いた状態に保持することができ、粉末洗剤投入時に、ばね力が働いているために洗剤投入口蓋を手で押さえて投入する必要をなくすることができ、使い勝手を向上することができ、さらに、水受け槽蓋を閉めれば、それに連動して洗剤投入口蓋が閉まることにより、水受け槽蓋を閉じた場合に、洗剤投入口蓋を水受け槽蓋がはさみ込んで、水受け槽蓋が閉まらず、洗濯物の飛び出しや洗濯時の水しぶきが洗濯機本体外に飛散するのを防止することができる。
【図面の簡単な説明】
【図１】  本発明の第１の実施例の洗濯機の断面図
【図２】  同洗濯機の一部切欠した斜視図
【図３】  本発明の第２の実施例の洗濯機の要部断面図
【図４】  同洗濯機の一部切欠した斜視図
【図５】  本発明の第３の実施例の洗濯機の要部断面図
【図６】  本発明の第４の実施例の洗濯機の要部断面図
【図７】  同洗濯機の一部切欠した斜視図
【図８】  本発明の第５の実施例の洗濯機の要部断面図
【図９】  本発明の第６の実施例の洗濯機の要部断面図
【図１０】  本発明の第７の実施例の洗濯機の断面図
【図１１】  本発明の第８の実施例の洗濯機の要部断面図
【図１２】  本発明の第９の実施例の洗濯機の要部断面図
【図１３】  同洗濯機の一部切欠した斜視図
【図１４】  本発明の第１０の実施例の洗濯機の要部断面図
【図１５】  本発明の第１２の実施例の洗濯機の一部切欠した斜視図
【図１６】  本発明の第１３の実施例の洗濯機の一部切欠した斜視図
【図１７】  従来の洗濯機の断面図
【符号の説明】
１  洗濯兼脱水槽
２  撹拌翼
３  水受け槽
６  外郭
１３  外郭カバー
１５  水受け槽カバー
１６  粉末洗剤投入口
【図１】
0004042252.tif 000002
【図２】
0004042252.tif 000003
【図３】
0004042252.tif 000004
【図４】
0004042252.tif 000005
【図５】
0004042252.tif 000006
【図６】
0004042252.tif 000007
【図７】
0004042252.tif 000008
【図８】
0004042252.tif 000009
【図９】
0004042252.tif 000010
【図１０】
0004042252.tif 000011
【図１１】
0004042252.tif 000012
【図１２】
0004042252.tif 000013
【図１３】
0004042252.tif 000014
【図１４】
0004042252.tif 000015
【図１５】
0004042252.tif 000016
【図１６】
0004042252.tif 000017
【図１７】
0004042252.tif 000018